【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
少なくとも一つの面を有する金属を含む移植可能な本体と、
前記少なくとも一つの面における少なくとも一つの腐食誘発機構であって、生理環境において、前記機構がない場合の速度よりも速い速度で、前記本体の少なくとも一部を分解させる腐食誘発機構と、
を備える、分解性の移植可能な構造体。
【請求項２】
前記移植可能な本体は、金属、金属合金、またはその組み合わせを含む、請求項１に記載の構造体。
【請求項３】
前記金属、金属合金、またはその組み合わせは、コバルト、タングステン、ビスマス、銀、銅、鉄、亜鉛、マグネシウム、ジルコニウム、ニオブ、イリジウム、インジウム、ビスマス、スズ、ニッケル、およびその合金のうち少なくとも一つを含む、請求項２に記載の構造体。
【請求項４】
前記少なくとも一つの腐食誘発機構は、くぼみ、細孔、部分孔、空隙、またはこれらの組み合わせを備える、請求項１に記載の構造体。
【請求項５】
前記少なくとも一つの腐食誘発機構は、表面の凹凸、切り込み線、擦り傷、筋、隆線、隆起、ざらつき、多孔性焼結金属または合金、粗面、またはこれらの組み合わせを備える、請求項１に記載の構造体。
【請求項６】
前記少なくとも一つの腐食誘発機構は、孔、貫通孔、貫通焼結細孔、またはこれらの組み合わせを備える、請求項１に記載の構造体。
【請求項７】
前記移植可能な本体は、前記本体の第一の結合部分を伴う第一の面と、前記本体の第二の結合部分を伴う第二の面と、を有し、前記第一の面は、前記第一の結合部分を前記第二の結合部分とは異なる速度で分解させる密度で存在する腐食誘発機構を有する、請求項１に記載の構造体。
【請求項８】
前記移植可能な本体は、ステントを備える、請求項１に記載の構造体。
【請求項９】
第一の分解速度で分解する第一層であって、金属、金属合金、またはその組み合わせを含む第一層と、
前記第一の速度とは異なる第二の分解速度で分解する第二層であって、金属、金属合金、またはその組み合わせを含む第二層と、
を有する移植可能な本体を備え、前記層は生理環境において前記構造体の少なくとも一部を分解させる、分解性の移植可能な構造体。
【請求項１０】
分解速度を有する金属を含む移植可能な本体と、
前記移植可能な本体の少なくとも一部を覆う層と、
を備え、前記層は前記移植可能な本体の前記分解速度を制御する、分解性の移植可能な構造体。
【請求項１１】
ある分解速度で分解する少なくとも一部を有する金属、金属合金、またはその組み合わせを含み、前記分解速度は少なくとも二相の異なる分解速度を有する移植可能な本体を備える、分解性の移植可能な構造体。
【請求項１２】
金属、金属合金、またはその組み合わせを含み、長さによって可変する分解速度で分解する少なくとも一部を有する移植可能な本体を備える、分解性の構造体。
【請求項１３】
金属、金属合金、またはその組み合わせを含み、その形状が分解速度に影響を及ぼす移植可能な本体を備える、分解性の構造体。
【請求項１４】
分解速度を有する金属、金属合金、またはその組み合わせを含む移植可能な本体と、
移植可能な構造体から溶出する少なくとも一つの治療剤と、
を備える分解性の構造体。
【請求項１５】
生理環境において、１ヶ月から５年の間の期間で溶解する速度に近い速度で分解する少なくとも一部を有する、金属、金属合金、またはその組み合わせを含む移植可能な本体
を備える、分解性の構造体。
【請求項１６】
金属から構成され、構造体を有する本体を備え、前記金属および構造体は、前記本体が生理環境において１ヶ月から５年までの期間で分解されることを可能にするために選択される、分解性のインプラント。
【請求項１７】
前記金属は、鉄、コバルト、タングステン、モリブデン、銀、銅、およびジルコニウム、インジウム、ビスマス、スズ、ニッケルより成る群から選択される、請求項１〜１６のいずれか１項に記載のインプラント。
【請求項１８】
前記金属は、少なくとも９０％、少なくとも９５％、または少なくとも９９．５％の純度を有する、請求項４７に記載のインプラント。
【請求項１９】
前記金属は、鉄合金からなる、請求項１〜１８のいずれか１項に記載のインプラント。
【請求項２０】
前記鉄合金は、少なくとも２５％の鉄、少なくとも５０％の鉄、少なくとも７５％の鉄、少なくとも９０％の鉄または少なくとも９９％の鉄を含む、請求項１９に記載のインプラント。
【請求項２１】
前記鉄合金は、炭素鋼である、請求項１９に記載のインプラント。
【請求項２２】
前記炭素鋼は、少なくとも０．０５％から３％の炭素、少なくとも０．０５％から１％の炭素、または少なくとも０．１％から０．６％の炭素を含む、請求項２１に記載のインプラント。
【請求項２３】
前記炭素鋼は、１０００シリーズの炭素鋼、１３００シリーズのマンガン鋼、４０００シリーズのモリブデン鋼、４１００シリーズのクロムモリブデン鋼、４３００シリーズのクロムモリブデン鋼、８６００シリーズのクロムモリブデン鋼、４６００シリーズのニッケル・クロムモリブデン鋼、５１００シリーズのクロム鋼、６１００シリーズのクロムバナジウム鋼、または９２００シリーズのケイ素鋼である、請求項２１に記載のインプラント。
【請求項２４】
前記鉄合金は、少なくとも８０％の鉄を含む鋳鉄である、請求項１９に記載のインプラント。
【請求項２５】
前記金属は、銀を含む合金を含む、請求項１〜１８のいずれか１項に記載のインプラント。
【請求項２６】
前記銀は、少なくとも２５重量％、少なくとも５０重量％、少なくとも７５重量％、少なくとも９０重量％、少なくとも９５重量％、または少なくとも９８重量％存在する、請求項２５に記載のインプラント。
【請求項２７】
前記金属は、スズを含む合金を含む、請求項１〜１８のいずれか１項に記載のインプラント。
【請求項２８】
前記スズは、少なくとも２５重量％、少なくとも５０重量％、少なくとも７５重量％、少なくとも９０重量％、少なくとも９５重量％、または少なくとも９８重量％存在する、請求項２７に記載のインプラント。
【請求項２９】
前記金属は、コバルトを含む合金を含む、請求項１〜１８のいずれか１項に記載のインプラント。
【請求項３０】
前記コバルトは、少なくとも２５重量％、少なくとも５０重量％、少なくとも７５重量％、少なくとも９０重量％、少なくとも９５重量％、または少なくとも９８重量％存在する、請求項２９に記載のインプラント。
【請求項３１】
前記金属は、タングステンを含む合金を含む、請求項１〜３０のいずれか１項に記載のインプラント。
【請求項３２】
前記タングステンは、少なくとも２５重量％、少なくとも５０重量％、少なくとも７５重量％、少なくとも９０重量％、少なくとも９５重量％、または少なくとも９８重量％存在する、請求項３１に記載のインプラント。
【請求項３３】
前記金属は、モリブデンを含む合金を含む、請求項１〜３２のいずれか１項に記載のインプラント。
【請求項３４】
前記モリブデンは、少なくとも２５重量％、少なくとも５０重量％、少なくとも７５重量％、少なくとも９０重量％、少なくとも９５重量％、または少なくとも９８重量％存在する、請求項３３に記載のインプラント。
【請求項３５】
前記金属は、０．０００１ａｍｐｓ／ｃｍ２から０．１ａｍｐｓ／ｃｍ２までの範囲、０．００１ａｍｐｓ／ｃｍ２から０．０１ａｍｐｓ／ｃｍ２までの範囲、または０．００２５ａｍｐｓ／ｃｍ２から０．００８ａｍｐｓ／ｃｍ２までの範囲の腐食電流（Ｉｃｏｒｒ）値を有する、請求項１〜３４のいずれか１項に記載のインプラント。
【請求項３６】
前記金属は、生物学的に適合した分解産物に分解する、請求項１〜３５のいずれか１項に記載のインプラント。
【請求項３７】
前記分解産物は、自然の状態で人体中に存在する物質と化学的に同じものである、請求項３６に記載のインプラント。
【請求項３８】
前記金属は、延性である、請求項１〜３７のいずれか１項に記載のインプラント。
【請求項３９】
前記金属は、破壊前、少なくとも１．２倍に引き伸ばされることができるか、破壊前、少なくとも１．３倍に引き伸ばされることができるか、破壊前、少なくとも１．４倍に引き伸ばされることができるか、または破壊前、少なくとも１．６倍に引き伸ばされることができる、請求項３８に記載のインプラント。